(57)【要約】本発明は、外科的穿刺、切開創傷および医療／手術機器が汚染や感染に対して脆弱であり、定期的な抗生物質の投与や包帯の確認，消毒および交換等の労働集約的なメンテナンスを必要としていた従来技術の問題点を未然に防ぐための、自動化されたデバイスを提供する。本発明に係るデバイスは、創傷および／または医療／手術機器の一部に薬剤を供給し、感染予防または感染症の治療をするようプログラムすることができる。
2016501093.tif 000002
【特許請求の範囲】
【請求項１】
生体組織，創傷および／または医療／手術機器に対して薬剤を適用し，供給し，吐出し，または分注するための自動化されたデバイス。
【請求項２】
生体組織，創傷および／または医療／手術機器に対して薬剤を自動供給するためのデバイスであって、創傷および／または医療／手術機器に対して供給すべき薬剤を保存するためのリザーバと、前記創傷および／または医療／手術機器に対して前記薬剤を供給し，吐出し、または分注するためのアプリケータと、を備えるデバイス。
【請求項３】
請求項１または２に記載のデバイスであって、使用時に、前記創傷を閉塞し，覆い隠し，またはカバーをすることのないデバイス。
【請求項４】
請求項２に記載のデバイスであって、前記アプリケータが、カニューレおよび／またはカテーテル周りにフィットするデバイス。
【請求項５】
請求項２〜４のいずれか一項に記載のデバイスであって、前記アプリケータが、少なくとも１つの薬剤排出口を画定しているデバイス。
【請求項６】
請求項５に記載のデバイスであって、前記アプリケータが前記薬剤排出口から延びるチャネルを画定し、前記アプリケータから吐出または分注される薬剤が前記チャネルを流れることができるデバイス。
【請求項７】
請求項６に記載のデバイスであって、薬剤が、毛管現象および／または吸い上げ作用の結果として前記チャネルを流れるデバイス。
【請求項８】
請求項６または７に記載のデバイスであって、使用時に、前記チャネルが、医療／手術器具，カニューレおよび／またはカテーテルの一部で毛管ギャップを形成しているデバイス。
【請求項９】
請求項１〜８のいずれか一項に記載のデバイスであって、医療／手術機器の部品に取り外し可能に接続されるデバイス。
【請求項１０】
請求項１〜９のいずれか一項に記載のデバイスであって、静脈ライン，カテーテル，チューブおよび／または針に取り外し可能に接続されるデバイス。
【請求項１１】
請求項１〜１０のいずれか一項に記載のデバイスであって、前記薬剤が、抗菌剤，抗生物質，防腐剤，洗浄剤，消毒剤および／または薬物を含むデバイス。
【請求項１２】
請求項１に記載のデバイスであって、前記薬剤を保存するリザーバと、該薬剤を生体組織，創傷および／または医療／手術機器に自動で適用するための手段と、を備えるデバイス。
【請求項１３】
請求項１〜１２のいずれか一項に記載のデバイスであって、前記創傷が、外科創傷および／または穿刺傷であるデバイス。
【請求項１４】
請求項１３に記載のデバイスであって、前記穿刺傷が、医療／手術機器の挿入に起因する創傷であるデバイス。
【請求項１５】
請求項１〜１４のいずれか一項に記載のデバイスであって、前記生体組織が、皮膚，粘膜組織，上皮組織または消化管表面であるデバイス。
【請求項１６】
請求項１〜１２または１４のいずれか一項に記載のデバイスであって、前記医療／手術器具が、針，チューブ，カニューレまたはカテーテルであるデバイス。
【請求項１７】
請求項１〜１６のいずれか一項に記載のデバイスであって、自動化されているデバイス
【請求項１８】
請求項１〜１７のいずれか一項に記載のデバイスであって、所定量の薬剤を、所定の時間に供給，吐出または分注するようプログラム可能であるデバイス。
【請求項１９】
請求項１〜１８のいずれか一項に記載のデバイスであって、１つ以上の環境センサを備え、該環境センサにより、１種以上の環境刺激に反応して創傷または医療／手術器具への薬剤の供給，吐出または分注が起動されるデバイス。
【請求項２０】
請求項１〜１９のいずれか一項に記載のデバイスであって、他の器具および／または本体部分に把持または装着するためのコネクタを備えるデバイス。
【請求項２１】
請求項２に記載のデバイスであって、前記リザーバおよびアプリケータが可撓性の導管によって接続されているデバイス。
【請求項２２】
請求項２または２１に記載のデバイスであって、使用時に、前記リザーバに保存された薬剤液が、選択的に前記可撓性の導管を介して前記アプリケータに連通しているデバイス。
【請求項２３】
請求項２，２１，２２のいずれか一項に記載のデバイスであって、前記リザーバおよび／またはアプリケータが医療／手術機器の部品に取り外し可能に接続されているデバイス。
【請求項２４】
請求項２３に記載のデバイスであって、使用時に、前記リザーバが医療／手術器具の部品のある部分に取り外し可能に接続され、前記アプリケータが医療／手術器具の前記部品の他の部分に取り外し可能に接続されているデバイス。
【請求項２５】
請求項２３に記載のデバイスであって、前記医療／手術器具が、静脈ラインおよび／またはカニューレ／カテーテルであるデバイス。
【請求項２６】
請求項１または２に記載のデバイスであって、表面，接触面，空気および／または材料に薬剤を適用，供給，吐出または分注するためのデバイス。
【請求項２７】
請求項１〜２６のいずれか一項に記載のデバイスであって、１つ以上のデバイス状態インジケータおよび／または性能インジケータを備えるデバイス。
【発明の詳細な説明】
【技術分野】
【０００１】
本発明は、創傷感染の治療または予防に用いることができるデバイスを提供する。
【背景技術】
【０００２】
ヒトおよび動物の皮膚は自然免疫系の一部を形成しており、感染に対する最初の障壁としての役割を果たしている。皮膚が破けると、感染に対し脆弱になり、適切な包帯処置や治療なしには微生物で汚染されることがある。創傷は、事故や外傷の結果として発生し得るが、しばしば外科手術において生じるものもあり、かかる創傷は、治癒させるおよび／または感染を防ぐよう慎重なメンテナンスが必要となる。
【０００３】
特に問題なのは、長時間にわたって存在し得る外科的穿刺または切創である。例えば、点滴静注では針を皮膚経由で血管に挿入するが、針は長期間にわたってその場に残留し得る。その結果、生じた穿刺傷は、皮膚の共生微生物からの感染のみならず、コミュニティに存在する他の病原体からの感染に対しても脆弱になる。
【０００４】
創傷のメンテナンスは労働集約的であり、看護師は、抗生物質を定期的に投与し、および／または、包帯を定期的に確認、消毒および／または交換しなければならない。米国特許第５６２０４２４号公報には、防腐剤が含浸されたデバイスまたは防腐剤を含むデバイスが記載されている。このデバイスは、カテーテル部位での感染を予防するべく、カテーテルに取り付けされている。このデバイスは、受動的であり、防腐剤を定期的に分配するようプログラムすることができないため、微生物における薬剤耐性の問題が永続し得る。さらに、治療する皮膚の表面上にデバイスが配置されるため、創傷の可視化が妨げられる。
【０００５】
米国特許第４８３４７１１号公報には、カテーテルの挿入に用いる（特には、尿道カテーテルでの使用を目的とした）器具が記載されており、この器具は、治療中の領域を覆う透明のシールドおよびカテーテルを通すことのできるガイド管を備えている。このデバイスは、カテーテルが上記器具を通過する際に、カテーテルに殺菌剤、潤滑剤または鎮痛物質を適用するよう使用することができる。
【０００６】
米国特許出願公開第２０１０／０２５６６０７号公報には、（外的および／または内的に）移植された人工装具またはカテーテルを、超音波、放射線または圧送薬によって連続的または断続的に殺菌消毒するための殺菌システムが記載されている。
【０００７】
米国特許第５３３８３０８号公報には、皮膚表面を貫いてカテーテルを挿入した場合に想定されるカテーテル敗血症を防ぐためのアセンブリが記載されている。このアセンブリは、治療中の皮膚表面の領域を覆うパッチと、該パッチおよび皮膚間に配置された補助管とを備え、該補助管は、防腐剤を適用するために挿入される針が通る入口を有する。このアセンブリでは、使用中に創傷を可視化することができない。さらに、このアセンブリは、医療／手術機器の異なる部分に取り外し可能に取り付けることができず、創傷および／またはカテーテルに対するアセンブリの位置を変えることができない。
【０００８】
米国特許第３９８１２９９号公報には、カテーテルの外壁に抗生物質または麻酔薬を噴出できるよう設計された管状延長部を有する、尿道カテーテルデバイスが記載されている。この発明では、穿刺傷および／または機器の両方に薬剤液を提供するよう、例えばカテーテルを含む任意のタイプの医療機器に取り付け可能かつ操作可能である、補助デバイスを提供している。
【０００９】
米国特許第６４３２１００号公報には、感染から経皮的リードを保護する、生体適合性ポリマーから形成された保護スリーブが記載されている。
【００１０】
米国特許出願公開第２００２／００７８９６３号公報には、呼吸器、洗浄および腸／呼吸器監視手術機器に用いるためのカートリッジが記載されている。詳細には、上記カートリッジは抗菌性ヒドロゲルを備えることができ、該抗菌性ヒドロゲルが、外科用器具がカートリッジに挿入されて引き込まれる際に、該外科用器具を払拭することが開示されている。米国特許出願公開第２００２／００７８９６３号公報に記載されるこのカートリッジシステムは受動的なシステムであり、外科手術器具のクリーニングを実現するためには、該外科手術器具を移動させることを要する。一定の完全な表面除染を確実にする、自動化され且つプログラム可能な流体供給機構は開示されていない。
【００１１】
米国特許出願公開第２００３／０１６７０５０号公報には、抗菌バリアを形成可能な抗菌流体を備え、カテーテルの周りに配置可能なスポンジ状の材料が開示されている。抗菌流体は経時的に消費されるためスポンジの有効期間には限りがあり、スポンジに新たな抗菌流体を絶えず適用するシステムは開示されていない。さらに、とりわけ抗菌流体が消費されてスポンジが乾燥し、該スポンジが迅速に移動しなくなると、スポンジによって創傷箇所が塞がれて創傷の可視化が妨げられたり、感染が助長されたりする場合がある。
【００１２】
米国特許出願公開第２００８／０１７２０１１号公報には、スリーブの外側層に水用性抗菌剤を備えるカテーテルが開示されている。これは、自動的に交換されない消耗型の抗生物質を備える受動的システムである。
【先行技術文献】
【特許文献】
【００１３】
【特許文献１】米国特許第５６２０４２４号明細書
【特許文献２】米国特許第４８３４７１１号明細書
【特許文献３】米国特許出願公開第２０１０／０２５６６０７号明細書
【特許文献４】米国特許第５３３８３０８号明細書
【特許文献５】米国特許第３９８１２９９号明細書
【特許文献６】米国特許第６４３２１００号明細書
【特許文献７】米国特許出願公開第２００２／００７８９６３号明細書
【特許文献８】米国特許出願公開第２００３／０１６７０５０号明細書
【特許文献９】米国特許出願公開第２００８／０１７２０１１号明細書
【発明の概要】
【発明が解決しようとする課題】
【００１４】
このような先行技術は、上述した問題に対する解決策を提供しようとしたが、そのアプローチの多くは、創傷部位の複雑さおよび閉塞性によって不便なものであり、感染をさらに助長し、器具を除去、移動または変位することなしには、医療スタッフによる創傷の治癒および／または進展の経過確認を妨げるものであった。
【００１５】
本発明は、先行技術に関連する問題の１つ以上を解消することを目的とする。
【課題を解決するための手段】
【００１６】
第１態様において、本発明は、生体組織および／または創傷に対して薬剤を適用し，供給し，吐出し、または分注するための自動化されたデバイスを提供する。このデバイスは、使用時に、創傷を閉塞し，覆い隠し，またはカバーをすることがないよう構成可能である。さらに、このデバイスは、使用時に、該デバイスを移動し，除去し，または変位させることなく、創傷の治癒状態，進展状態および／または感染状態をモニタできるよう創傷を可視化することができる。
【００１７】
使用時、本発明の第１態様に従う自動化されたデバイスは、生体組織および／または創傷に対し、薬剤を定期的に適用，供給，吐出または分注することを確実にするべく用いることができる。
【００１８】
薬剤は、粉末または液体を含むことができる。従って、薬剤は、流体として説明することができる。
【００１９】
薬剤は、感染，疾患，疾病または症候群を予防し，抑制し，または治癒するための１つ以上のコンポーネントを含むことができる。薬剤は、生体組織または任意の種類の表面を汚染除去，洗浄または消毒するための１つ以上のコンポーネントを含むことができる。例えば、薬剤は、抗菌剤，抗生物質，防腐剤，洗浄剤，消毒剤および／または薬剤の１つ以上を含むことができる。
【００２０】
薬剤が流体の場合、該流体は薬剤液であり得る。薬剤液は、感染，疾患，疾病または症候群を予防し，抑制し，または治癒するための１つ以上のコンポーネントを含むことができる。
【００２１】
このように、本発明は、創傷および／または生体組織に流体または薬剤液を適用可能な自動化されたデバイスを提供することができ、該デバイスは、該流体または薬剤液を保存するためのリザーバと、創傷および／または生体組織に流体または薬剤液を自動で適用するための手段と、を備えている。
【００２２】
以下の記載における「流体」はすべて、上述した種類の薬剤液を含有する流体を参照しているものと理解されたい。
【００２３】
薬剤または流体は、薬学的に許容される希釈剤，添加剤またはキャリアをさらに含むことができる。
【００２４】
薬剤または流体は、防腐剤を含むことができる。
【００２５】
薬剤または流体は、抗生物質を含むことができる。例えば、薬剤または流体は、抗細菌，抗ウィルスおよび／または抗真菌剤を含むことができる。
【００２６】
薬剤または流体は、消毒剤を含むことができる。
【００２７】
薬剤または流体は、防腐剤，抗生物質および／または消毒剤の１つ以上を含むことができる。
【００２８】
本明細書に記載されるすべての薬剤または流体は、１種以上の薬物または他の治療薬のような、１種以上の追加のコンポーネントをさらに含んでいてもよい。例えば、薬剤または流体は、化学療法剤，抗炎症剤，美容薬剤または鎮痛薬をさらに含むことができる。
【００２９】
自動化されたデバイスにおける少なくとも1つの部品（コンポーネント）は、使い捨て可能または交換可能である。あるいは、自動化されたデバイス自体を使い捨て可能としてもよい。
【００３０】
本発明は、創傷および／または生体組織に流体を適用するための自動化されたデバイスを提供することができ、該デバイスは、流体を保存するためのリザーバと、創傷に流体を自動で適用するための手段とを備え、該流体は防腐剤を含む。
【００３１】
「創傷」という用語は、例えば、皮膚や組織の傷のような任意の種類の軽傷を含む。皮膚や組織の傷は、皮膚や組織の傷口を構成することができる。創傷は、開放創や閉鎖創であってもよい。創傷は、病院や他の種類のケアセンター（例えば、老人ホームや診療所等）の患者に存在する。創傷は、事故の結果生じ得るものであるが、外科創傷の場合もある。「外科創傷」という用語は、外科手術によって生じた任意の種類の創傷を含み、外科創傷には、例えば、穿刺傷や切創等がある。外科創傷は「手術部位」に生じ得る。創傷は、外科手術機器または針，チューブ，カニューレもしくはカテーテルのようなオブジェクトを、患者の皮膚や細胞を介して挿入することに関連して生じ得る。本明細書に記載する上記の類の創傷は、現場での外科手術機器またはオブジェクト（例えば、針，管，カニューレまたはカテーテル）によるものを含むことができる。外科創傷は、挿入部位，カテーテル挿入部位またはカテーテル留置部位を含むことができる。
【００３２】
生体組織という用語は、例えば、皮膚，粘膜組織，上皮組織および腸等、ヒトまたは動物のあらゆる内部組織もしくは外部組織を含むことができる。
【００３３】
言うまでもなく、生体組織および／または創傷、特には、皮膚および／または組織創傷は、感染症に対し脆弱で感染し易い。例えば、ブドウ球菌およびカンジダ種のような皮膚共生微生物は、細胞または創傷を汚染し感染する。大腸菌属，シュードモナス属およびストレプトコッカス属に属する種のような他の微生物もまた、細胞または創傷を汚染し感染する。感染は、針，ナイフ，チューブ，カニューレおよびカテーテル等による穿刺または切開を介して皮膚バリアが破られる手術（手術の大小に関わらず）において、特に問題となる。例えば、皮膚に針が挿入されると、成長して感染を形成する皮膚共生微生物および他の日和見病原体で創傷が汚染され得る。かかる感染は局所的かつ自己完結型ではあるが、拡散して敗血症になる場合がある。
【００３４】
本発明のデバイスは、生体組織および／または創傷における感染を治療および／または予防するための対応策を見出すことに加えて、さらに、医療機器および／または器具を汚染除去，洗浄および／または消毒するよう用いることができる。「医療機器／器具」という用語は、例えば、針，カテーテルおよび／またはカニューレのような外科手術機器／器具および／またはツールを含むことができるが、実際に、この用語は、静脈内への組成物の送達に用いられる任意のデバイスを含む必要がある。特に、カテーテル等の医療器具は、微生物によるバイオフィルムの形成および汚染の影響を受け易い。このように、医療器具においても、特に患者の皮膚を通過する際に感染リスクがある。例えば、カテーテルは使用中に共生微生物によって汚染される場合があり、これらの共生微生物は、カテーテル表面で成長し、場合によってはバイオフィルムを形成し得る。最も深刻なケースでは、カテーテル表面の微生物が患者の血流中に入り込んで敗血症のリスクを増加させる。便宜上、「カテーテル」という用語は、「医療機器」または「医療器具」の代わりに使用することができる。
【００３５】
創傷および／または医療器具が感染し易いことを考慮して、本明細書に記載されるデバイスは、器具の汚染および／または創傷および／または手術部位の感染症の治療および／予防における対応策を見出すことができる。理論に拘束されることなく、本発明のデバイスは、医療機器／器具および／または創傷に対する薬剤（例えば、防腐剤）または流体の定期的な適用に影響を与えるよう利用することができ、これによって、汚染または感染の発生を予防し、またはそれらを治療することができる。
【００３６】
本発明により提供されるデバイスは自動化されている。すなわち、人為的操作なく、薬剤または流体を創傷または医療器具に供給または分注することができる。本発明にかかるデバイスは、所定量の薬剤を、所定の時間に分注または供給するようプログラムまたは構成可能である。例えば、本発明のデバイスは、通常かつ所定の時間および／またはインターバルにて、創傷または器具に薬剤を供給することができる。
【００３７】
さらに、または代替的に、本発明により提供されるデバイスは、創傷または器具に薬剤を送達するよう起動することができる。このような起動は、ユーザ（例えば、人）とデバイスとの相互作用を介して行われる。例えば、デバイスが薬剤を自動で供給または分注するようプログラムまたは構成されているのに加えて、ユーザ（おそらく患者）がデバイスを起動し、薬剤を供給または分注させることもできる。本発明のデバイスは、遠隔操作が可能である。
【００３８】
本発明のデバイスは、１つ以上の環境センサを備え該環境センサにより、１種以上の環境刺激に反応して創傷または医療／手術器具への薬剤の供給，吐出または分注を起動する。例えば、上記デバイスは、動作，温度（患者および／または環境の温度），湿度（湿気），圧力，光および／または音センサを備えることができる。当業者であれば、任意のセンサは、適切な刺激閾値に応じて薬剤を分注または吐出させるべくデバイスを起動させるよう構成可能であることが理解されよう。
【００３９】
本明細書に記載されるデバイスによって供給され，適用され，分注され，および／または吐出される薬剤は、創傷，任意の種類の表面または器具上に噴射，噴出または滴下してもよい。
【００４０】
デバイスは、ハウジング／本体部を備えること、またはハウジング／本体部をさらに備えることができる。
【００４１】
本体またはハウジングは、単一の部品からなる、または複数の部品からなるコンポーネントとすることができる。
【００４２】
ハウジングには、薬剤が分注または排出される開口部を画定することができる。
【００４３】
本発明のデバイスは、薬剤を保存するリザーバを備えることができる。リザーバは、タンク，器，キャニスタまたは容器の形態をとることができる。リザーバは、単一の部品からなる、または複数の部品からなるコンポーネントとすることができる。リザーバは、空気および／または水で満たすことができる。リザーバは、予め薬剤で満たして封止することができる。代替的に、リザーバは、ユーザによる充填または再充填が可能である。このようなケースにおいて、リザーバは、薬剤をリザーバに供給するためのポートを覆う開放可能なシールまたはキャップを備えることができる。
【００４４】
本発明のデバイスは、相互に流体接続されて一体となったリザーバおよびハウジング／本体部を備えることができる。例えば、リザーバは流体排出ポートを備え、該流体排出ポートを介して、リザーバに保存された薬剤をデバイスのハウジング／本体部内に流入させる。このハウジング／本体部は、リザーバの流体排出ポートを受けるよう構成された、流体注入ポートをさらに備えることができる。リザーバの流体排出／注入ポート、およびハウジング／本体部の流体排出／注入ポートは、該リザーバおよびハウジング／本体部間を流体連通する流体導管を画定することができる。デバイスのハウジング／本体部は、該ハウジング／本体部から流体を流出させるための流体排出ポートをさらに備えることができる。
【００４５】
本発明のデバイスは、複数（例えば、２個または３個）のリザーバを備えることができる。
【００４６】
デバイスのハウジング／本体部は、例えば取り外し可能にリザーバを受けることができる。従って、リザーバは、デバイス内部に取り外し可能に収納され得る。リザーバは、デバイスのハウジング／本体部にロックされるよう構成することができる。例えば、リザーバは、ハウジングに画定された開口部に挿入可能な１つ以上の「カギ」状の突起を備えることができる。かかる突起を開口部に挿入すると、上記「カギ」状の突起を、第１のポジションから、デバイスのハウジング／本体部にリザーバを固定する第２のポジションへと移動させるようリザーバを配向することができる。
【００４７】
リザーバおよびデバイスは、一体に形成可能である。
【００４８】
リザーバは、デバイスから離間して形成可能であり、リザーバ内に保存または保持されている薬剤（例えば、薬剤液）を移送する管またはチューブによってデバイスと接続可能である。
【００４９】
リザーバは、例えば、（リザーバ内に保存されている）流体または薬剤液を分注または吐出することができる、（流体または薬剤の）スプレーヘッド，アプリケータまたはノズルを備えるか、またはこれらに接続することができる。デバイスのハウジング／本体部は、スプレーヘッド，アプリケータまたはノズルが薬剤を創傷に発射し，または分注し／吐出することができる、開口または排出ポートを画定することができる。
【００５０】
本発明のデバイスは、１つ以上のノズル，アプリケータまたはスプレーヘッドを備え、これらを介して薬剤を分注し，供給し，または吐出することができる。ノズル，アプリケータまたはスプレーヘッドは、リザーバに直接的または間接的に接続することができる。ノズル，アプリケータまたはスプレーヘッドは、医療器具，任意の種類の表面または身体部分に取り付け、または取り外し可能に取り付けできる。ノズル，アプリケータまたはスプレーヘッドは、チューブの一部として構成すること、および／または、チューブに接続させることができる。
【００５１】
上記のチューブとは、フレキシブルチューブである。フレキシブルチューブは、本発明に係るデバイス、および／または、該デバイスのリザーバまたはハウジング／本体部のいずれかに直接的（または間接的に）取り付け可能である。本発明のデバイスは、１本以上のフレキシブルチューブを備えることができる。このチューブは、湾曲可能な直線状のチューブとすることができる。このチューブは、流体を吐出し，噴射し，分注し，または供給する、複数のスプレーヘッド，アプリケータおよび／またはノズルに分岐していてもよい。
【００５２】
デバイスのスプレーヘッド，アプリケータまたはノズルは、デバイスのリザーバおよび／または本体部から離間しており、例えば、フレキシブルチューブのような流体管を形成することによってリザーバおよび／または本体部に接続していてもよい。かかる構成では、デバイスの本体部とリザーバを一箇所に取り付け、スプレーヘッド，アプリケータまたはノズルを他の場所に取り付けることができる。
【００５３】
スプレーヘッド，アプリケータまたはノズルは、例えば薬剤液のような薬剤を、例えば任意の種類の表面，創傷または生体組織等に対して噴射し，点滴し，または供給するよう形成することができる。
【００５４】
本発明に係るデバイスおよび／またはリザーバは、リザーバから流体を、スプレーヘッド，アプリケータまたはノズルに排出させるための手段を備えることができる。例えば、デバイスは、加圧されたキャニスタや、他の容器を備えることができる。加圧されたキャニスタは、創傷に供給されることになる薬剤を保持することができる。加圧されたキャニスタは、噴射剤を含んでいてもよい。加圧されたキャニスタは、バルブをさらに備えることができる。このバルブは、閉鎖位置に付勢された一方向バルブとすることができる。一方向バルブは、開口時に、加圧された薬剤を、該バルブを通過させるよう構成可能である。
【００５５】
本発明に係るデバイスは、キャニスタ（またはキャニスタのバルブ）の開口に作用して、キャニスタから薬剤を分注し，供給し，または吐出させるための手段をさらに備えることができる。バルブを開口するための手段は、１つ以上のアクチュエータ部材を駆動または操作するモータを備えることができる。アクチュエータ部材は、キャニスタと係合して該キャニスタのバルブを開口し、薬剤の吐出または分注に作用することができる。
【００５６】
リザーバ（または複数のリザーバ）は、１つ以上の他のキャニスタまたは容器と接続可能である。リザーバは、流体管路を画定する１本以上のチューブによって、１つ以上の他のキャニスタまたは容器と接続することができる。使用時、リザーバに保持されている薬剤は、該リザーバと他のキャニスタまたは容器を接続しているチューブによって画定される管路を介して、他のキャニスタまたは容器に流出することができる。薬剤は、接続チューブを介して、リザーバから容器またはキャニスタに圧送することができる。さらに、または代替的に、薬剤は、重力の作用のもと、リザーバと容器／キャニスタ間を移動することができる。
【００５７】
リザーバ、および／または該リザーバに接続する容器／キャニスタは、ピストンを備えることができる。ピストンは、リザーバ内の薬剤に圧力を印加するよう移動することができ、これによって、リザーバから薬剤が吐出または分注される。ピストンは、１つ以上のモータによって動作可能である。
【００５８】
リザーバおよび／または容器／キャニスタは、ポンプを備えることができる。使用時、このポンプは、リザーバから容器／キャニスタへ、または容器／キャニスタから創傷へと薬剤を噴出するよう構成可能である。
【００５９】
本明細書に記載されるデバイスは、他の種類の器具，表面または身体部分と協働することができる。具体的には、本発明に係るデバイスは、医療器具，任意の種類の表面および／または患者の身体部分と協働することができる。例えば、デバイスは、他の種類の器具，任意の種類の表面または身体部分に、例えば、取り外し可能に取り付けるよう形成および構成可能である。
【００６０】
本発明に係るデバイスは、該デバイスを他の器具，任意の種類の表面または身体部分を把持する、またはそれらに取り付ける（例えば、取り外し可能に取り付ける）ためのコネクタを備えることができる。
【００６１】
デバイスは、クリップを備えることができる。
【００６２】
デバイスは、磁石や磁気面に取り付けするための、マグネットまたはマグネットコンポーネントを備えることができる。
【００６３】
デバイスは、他のデバイスにおける対応するコネクタに取り付けするための、ネジ付きコネクタを備えることができる。
【００６４】
デバイスは、ストラップを備えることができる。
【００６５】
デバイスは、例えば、ベルクロ社の面コネクタシステムを備えることができる。
【００６６】
デバイスは、医療器具と取り外し可能に接続する、締まり嵌め要素を備えることができる。医療機器とは、具体的には、例えば、静脈ライン，カテーテル，チューブまたは針等である。
【００６７】
本明細書に記載のデバイスは、静脈ラインに取り外し可能に取り付けできる。
【００６８】
デバイスは、該デバイスを他の機器または身体部分に取り外し可能に取り付けるための、ストラップまたはクリップを備えることができる。
【００６９】
デバイスの他のコンポーネントは、既存の医療器具に、異なる高さおよび位置にて、取り外し可能に取り付けし、またはクリップすることができる。
【００７０】
本発明に係るデバイスは本体部を備え、該本体部は、創傷または器具（例えば、医療器具）のいくつかの部分に供給されることになる薬剤を保存するためのリザーバと、デバイスの本体部を流体アプリケータまたはノズルに接続するフレキシブルチューブと、を備えている。フレキシブルチューブの接続部分は、流体（例えば、本明細書に記載されるような薬剤）を通過させるための管路を画定している。このように、リザーバから排出される流体は、フレキシブルチューブを介して、該リザーバから離間したノズルまたはアプリケータと連通する。ノズルまたはアプリケータは、例えば、器具の部品，生体組織および／または創傷に薬剤を分注し，吐出し，または供給するよう構成されている。本体部は、本明細に記載されるように、本体部を、例えば静脈ラインまたはカテーテル等の医療器具の部品に接続するための、クリップまたは把持要素を備えることができる。ノズルまたはアプリケータは、医療器具の部品に取り外し可能に取り付けられるよう、形成および構成することができる。本体部およびプリケータ／ノズルは、医療機器の同じ部品の異なる部分、または医療機器の異なる部品に接続することができる。例えば、本発明に係るデバイスの（リザーバコンポーネントを含むことができる）本体部は、静脈ラインに取り付けまたは固定することができるが、静脈ラインにカテーテル，針または器具／ツールの他の部品を取付けまたは固定している（または関連している）ノズルまたはアプリケータ部分（フレキシブルチューブによって本体部と接続しており、器具の部品または創傷に薬剤を分注し，吐出し，または供給する）に、取り付けまたは固定することもできる。カテーテル，針または他のツールは、患者の皮膚を貫通することができ、カテーテル，針またはツール上に取り付けられたアプリケータまたはノズルは、カテーテル／針またはツールが皮膚を通過することに起因して生じた創傷（穿刺傷）に隣接して配置可能となる。本発明に係るデバイスのアプリケータまたはノズルは、創傷に隣接して配置可能であるが、該創傷に接触する位置ではないので、創傷の可視化を容易にすることができる。
【００７１】
上述したように、本発明に従うデバイスのノズルまたはアプリケータは、医療器具の部品または創傷に対して、流体を（噴霧，滴下，噴射等することによって）供給し，分注し，または吐出するよう構成することができる。上記流体が薬剤液または本明細書に記載するような薬剤（例えば、防腐剤または抗生物質）である場合、当該流体（薬剤）を、任意の種類の表面，医療器具（例えば、カテーテル）の部品，生体組織および／または創傷に対して定期的に適用することは、感染の抑制に役立つ。ノズルまたはアプリケータは、さらに、例えばカテーテルのような医療器具の実質的に全ての部分，大部分，または管状のパーツ部分に、薬剤を分注し，吐出し，および／または供給するよう構成することができる。ノズルまたはアプリケータは、任意のフォームまたは形状をとってよいが、器具または機器（例えば、医療機器）の部品を配置できるスペースまたはギャップを画定することができる。例えば、本発明に従うアプリケータまたはノズルは、現場では、カテーテルに対して、またはその周囲に配置することができる。
【００７２】
アプリケータまたはノズルは、環状の部材またはリング構造とすることができる。その性質によって、環状またはリング状の形状をとるアプリケータまたはノズルは、例えば、カテーテルのような医療器具の管状部分を通すことのできる、中央開口またはボアを画定している。アプリケータまたはノズルは、部分的に環状またはリング構造であってもよい。
【００７３】
（環状の）ノズル／アプリケータの内側面の構造、例えば、中央開口またはボアを画定している内側面の構造は、流体を排出する１つ以上の開口部（流体排出用の開口部）をさらに画定している。各流体排出口は、アプリケータ／ノズルの構造または本体を通る流体管路またはボアへの開口、および、創傷または器具（例えば、カテーテル）の部品に供給される薬剤が通過できる１つ以上の流体注入ポートへの開口を画定することができる。
【００７４】
アプリケータまたはノズルの環状またはリング構造を通る流体管路は、単一の流体注入ポートに接続または延在することができる。アプリケータまたはノズルの環状またはリング構造を通る流体管路は、複数の流体注入ポートに接続または延在していてもよい。
【００７５】
アプリケータ／ノズルの流体注入ポートは、本発明に係るデバイスのリザーバに接続することができる。
【００７６】
アプリケータ／ノズル（環状またはリング構造を有する）の内側面には、使用中に、流体（例えば、本発明にて定義されている流体）が流れるチャネルを形成または画定する、凹面を画定することができる。凹面は、アプリケータ／ノズルの内側面周りに円周方向に延在させることができる。使用中、本発明に係るデバイスのアプリケータ／ノズルが、例えば、管状の医療器具（例えば、カテーテル）の周囲に配置されると、円周方向に配向された凹面と、管状の医療器具の外側面とによって、流体が流れる円形の、または湾曲したチャネルが画定される。当業者は、このタイプのチャネルでは、医療機器の外側面の全体または一部に流体（例えば、薬剤液）を流すことが可能であると理解されよう。流体が医療用の薬剤である場合、医療機器の洗浄，消毒および／または除染に利用することができる。
【００７７】
例えば、凹面は、（環状／リング状の）アプリケータ／ノズルの内側面の下側端部周りに、円周方向に延在することができる。当業者は、デバイスのリザーバから（圧力のもと）流出された流体は、アプリケータ／ノズル構造の内側面に画定された流体排出口から排出することができる。流体は、それから、凹面に沿って流れる。毛管現象または吸い上げ作用によって、凹面に沿って流体を流すことができる。
【００７８】
凹面（「毛管表面」）の表面性状は、表面の湿潤性を増加させるべく変更することができる。例えば、吸湿材料を用いること、または、表面を（例えば、酸化物または親水性樹脂材料等の）コーティングすること、もしくは、表面をプラズマに曝したり、レーザアブレーションにかける等して表面を粗化処理すること、によって変更できる。本発明に従うデバイスのアプリケータ／ノズルの他の部分は、１つ以上の流体停止機構を備えることができ、該流体停止機構は、毛管現象による流体が通過するのを防止するよう設計されている。例えば、アプリケータ／ノズルの凹面以外の表面に、疎水性材料（例えば、印刷可能な導電性または非導電性のインク）を設けること、または表面性状を変化させ疎水性／親水性の差をもたらす処理（レーザアブレーション，表面スコアリング，表面材料の除去による処理）や材料（蒸発させた金属材料等）を提供することが可能であり、これらにより、チャネルの壁面特性が設計され、またはチャネルの壁面上にコーティングが提供される。
【００７９】
使用中、アプリケータ／ノズルの内側面の凹面により、アプリケータ／ノズルおよび皮膚を通過するカテーテルの類の任意の機器の外周面の全て、または実質的に全てに流体を流すことができる。使用中、理論に束縛されるものではないが、凹面と、アプリケータ／ノズルを通過する例えばカテーテルのような任意の機器と、の間に毛管間隙を形成することができ、該毛管間隙によって、流体排出口からの流体をカテーテルの外側面周りに流れ易くすることができる。このようにして、カテーテルの外側面の実質的に全体または少なくとも一部を、清潔で微生物汚染のない状態に維持することができる。凹面は、さらに、アプリケータの内側面に画定された流体排出口から放出される、任意の薬剤の分散を容易にすることができる。
【００８０】
アプリケータ／ノズルの凹面は、アプリケータ／ノズルの内側面に画定された流体排出口からの流体の噴射，滴下または供給が少ない場合であっても、該流体を、アプリケータノズルの内側面の周りに最大限に分散し、該アプリケータ／ノズルを通過する任意の機器（例えば、カテーテル）の外側面全体に分散することができる。
【００８１】
アプリケータまたはノズルは、透明の材料または１つ以上の「ウィンドウ」型の構造を備え、かかる構造により、アプリケータ／ノズルの下方の創傷を可視化することができる。
【００８２】
このように、本発明は、例えば、創傷および／または医療機器（例えば、カテーテル型の機器）の部品に薬剤を供給するためのデバイスを提供することができ、該デバイスは、静脈ラインに取り外し可能に取り付けられるリザーバと、静脈ラインから延在する任意の器具またはカテーテル型の機器に取り外し可能に取り付けられる薬剤アプリケータと、を備え、リザーバに保存された薬剤は、管路によってアプリケータと連通し、さらに、アプリケータは、流体排出口を備え、該排出口を介して医療器具／カテーテルおよび／または創傷の表面に対して流体を供給することができる。アプリケータは、流体排出口を通過する流体が、アプリケータの内側面周り、および／または、医療器具（例えば、カテーテル）の外側面周りへ移動または流出し易い表面を備えることができる。この表面は、凹面として、医療機器（例えば、カテーテル）の表面と選択的に協働させることができ、該凹面によって、流体が流れるチャネルまたは窪みが画定される。使用中、（医療機器の表面と選択的に協働する）表面または凹面は、毛細管間隙を形成することができ、流体は、該間隙を流れることができる。
【００８３】
本明細書に記載したすべてのデバイスは、１つ以上のデバイス状態インジケータおよび／または性能インジケータをさらに備えることができる。デバイス状態／性能インジケータは、例えば、誤動作，電力の低下，電力切れ，バッテリ寿命の低下，薬剤レベルの低下／消耗／期限切れ等をユーザに通知または警告することができる。デバイス状態／性能インジケータは、聴覚および／または視覚に訴える１つ以上のインジケータの形態をとることができ、例えば、アラームおよび／またはライト（例えば、ＬＥＤ型のインジケータ）を含むことができる。状態／性能インジケータは、任意に、音を発し、またはライトアップし、もしくはライトの色を変更することによって、デバイスの性能および／または状態における問題点をユーザに警告することができる。
【００８４】
従来のデバイスに対する本発明の利点は、医療／手術器具または創傷の特定の部分、例えばカテーテルを標的として、薬剤を供給することができる点にある。かかる利点は、部分的には、アプリケータが移動可能でありかつ柔軟な管路によって薬剤のリザーバに接続されている限り、該アプリケータの特性によってもたらされる。アプリケータは、医療器具の部品および／または創傷の近くに定義された位置、または所定の位置に正確に位置決めすることができるため、標的への薬剤の供給，分注しおよび／または吐出を確実に実行することができる。さらに、（使用中の）アプリケータの凹面は、流体フローチャネル（または、毛管間隙もしくは毛管作用の経路／吸い上げ経路）を画定し、アプリケータから分注，供給および／または吐出された薬剤を、医療機器または器具の外側面の周りに確実に分注しおよび／または拡散する。例えば、カテーテル等の管状要素を備える医療／手術器具の使用中、アプリケータの凹面は、器具の外側面に対して平行かつ該外側面に近接して延在するため、該凹面によって形成されたチャネルを流れる流体または薬剤が、医療／手術機器の外側面の全体にわたって、または外側面の少なくとも一部に沿って接触し、流れることができる。このようにして、医療器具の外側面の全体または一部が汚染されおよび／または汚れるのを防ぐことができる。薬剤は、重力の作用のもと、創傷に向かって医療器具を流れ落ちることができる。
【００８５】
本発明は、本明細書および添付の図面に実質的に記載されたデバイスを提供する。
【００８６】
本発明に係るデバイスは、例えば、静脈ラインのような他の種類の器具に取り付け可能であるため、外科的創傷（例えば、穿刺傷）を覆い隠すことなく、該創傷部位上またはその近くにデバイスを配置することができる。従って、デバイスは、薬剤（例えば、防腐剤）を創傷に、定期的かつ調整可能に滴下し，分注し，吐出し，または適用することができ、これによって、創傷感染の発症の予防リスクを最小限に抑えることができる。
【００８７】
本発明により提供されるデバイスは、他の用途に用いることができる。例えば、デバイスは、表面，接触面，空気，マテリアル，機器（例えば、手術機器）等に薬剤を適用し，供給し，分注し，または吐出するべく利用することができる。例えば、デバイスは、ヒト，動物および／または食物と定期的に接触する表面に、薬剤を（自動および／または定期的に）供給する手段として利用することができる。その表面とは、例えば、ベッド，臨床用および／または手術器具，ジム設備，ドア，ドアハンドル，窓，天井，床，壁，家具，車両（車内および車外のパーツ），テーブル，食物，食器や調理道具の表面等である。以下に、より具体的に記載するように、薬剤は、感染，疾患，疾病または症候群を予防し，抑制し，または治癒するための１つ以上のコンポーネントを含むことができる。薬剤は、抗生物質，防腐剤，殺菌剤および／または薬物の１つ以上を含むことができる。
【００８８】
従って、さらなる態様において、本発明は、空気，マテリアル，ツールおよび／または表面／接触面に薬剤を適用し，供給し，吐出し，または分注するための（自動化された）デバイスを提供する。誤解を避けるために、本明細書と通じて使用される定義は、明細書の最後に記載した実施形態に対応する用語と機能に適用される。
【００８９】
以下、図面を参照して本発明をより詳細に説明する。
【図面の簡単な説明】
【００９０】
【図１】本発明の一実施形態にかかるデバイスの分解斜視図である。
【図２】図１に示すデバイスの平面図である。
【図３】本発明の一実施形態にかかるデバイスの他の分解斜視図である。
【図４】図１および３に示すデバイスの一方端の端面図である。
【図５】図１および３に示すデバイスの側面図である。
【図６】図１および３に示すデバイスの底面図である。
【図７】図１および３に示すデバイスの他方端の端面図である。
【図８】図１および３に示すデバイスのコンポーネントの側面図である。
【図９ａ】図１〜８に示すデバイスに用いられるピストンコンポーネントの平面図である。
【図９ｂ】図９ａに示すピストンコンポーネントの斜視図である。
【図９ｃ】図９ａ，９ｂに示すピストンコンポーネントの端面図である。
【図１０ａ】図１〜８に示すデバイスのクリップに用いられるスプリングの上面図である。
【図１０ｂ】図１０ａに示すスプリングの斜視図である。
【図１０ｃ】図１０ａ，１０ｂに示すスプリングの側面図である。
【図１０ｄ】図１０ａ〜１０ｃに示すスプリングの端面図である。
【図１１ａ】図１〜８に示すデバイスにおけるリザーバカバーの平面図である。
【図１１ｂ】図１１ａに示すリザーバカバーの側面図である。
【図１１ｃ】図１１ａ，１１ｂに示すリザーバカバーの断面図である。
【図１１ｄ】図１１ａ〜１１ｃに示すリザーバカバーの斜視図である。
【図１２ａ】図１〜８に示すデバイスにおけるリザーバの端面図である。
【図１２ｂ】図１２ａに示すリザーバの斜視図である。
【図１２ｃ】図１２ａ，１２ｂに示すリザーバの断面図である。
【図１２ｄ】図１２ａ〜１２ｃに示すリザーバの平面図である。
【図１２ｅ】図１２ａ〜１２ｄに示すリザーバの側面図である。
【図１２ｆ】図１２ａ〜１２ｅに示すリザーバの断面図である。
【図１３ａ】図１〜８に示すデバイスにおけるキャニスタキャップの平面図である。
【図１３ｂ】図１３ａに示すキャニスタキャップの斜視図である。
【図１３ｃ】図１３ａ，１３ｂに示すキャニスタキャップの端面図である。
【図１４ａ】図１〜８に示すデバイスにおけるキャニスタの断面図である。
【図１４ｂ】図１４ａに示すキャニスタの斜視図である。
【図１４ｃ】図１４ａ，１４ｂに示すキャニスタの底面図である。
【図１４ｄ】図１４ａ〜１４ｃに示すキャニスタの端面図である。
【図１４ｅ】図１４ａ〜１４ｄに示すキャニスタの側面図である。
【図１５ａ】図１〜８に示すデバイスにおけるベースプレートの斜視図である。
【図１５ｂ】図１５ａに示すベースプレートの平面図である。
【図１５ｃ】図１５ａ，１５ｂに示すベースプレートの側面図である。
【図１６ａ】図１〜８のデバイスに示すクリップにおけるアクチュエータアームの上面図である。
【図１６ｂ】図１６ａに示すアクチュエータアームの側面図である。
【図１６ｃ】図１６ａ，１６ｂに示すアクチュエータアームの斜視図である。
【図１７ａ】図１〜８に示すデバイスにおけるフレキシブルチューブの斜視図である。
【図１７ｂ】図１７ａに示すフレキシブルチューブの断面図である。
【図１７ｃ】図１７ａ，１７ｂに示すフレキシブルチューブの側面図である。
【図１７ｄ】図１７ａ〜１７ｃに示すフレキシブルチューブの端面図である。
【図１８】本発明の他の態様に従う、リザーバコンポーネントの平面図である。
【図１９】図１８のリザーバコンポーネントの、薬剤／流体を保持するための内部空間を示す斜視図である。
【図２０】図１８，図１９に示すリザーバコンポーネントの他の斜視図である。
【図２１】図１８，図１９および図２０に示すリザーバコンポーネントに取り外し可能に接続するよう構成された、ハウジング／本体部の斜視図である。
【図２２】図２１に示すハウジング／本体部の他の斜視図である。
【図２３】ハウジングまたは本体部のロッキング開口部を示す、透視線による斜視図である。
【図２４ａ】本発明の一実施形態にかかるデバイスの平面図である。
【図２４ｂ】図２４ａに示すデバイスの斜視図である。
【図２５】図２４に示すデバイスにおけるハウジング／本体部およびリザーバを組立てた状態の斜視図である。
【図２６ｂ】図２４に示すハウジング／本体部の上側セクションを底面側からみた斜視図である。
【図２６ｃ】図２４に示すハウジング／本体部の上側セクションを上面側からみた斜視図である。
【図２７ａ】図２４に示すデバイスにおけるハウジング／本体部の底面図である。
【図２７ｂ】図２７ａに示すハウジング／本体部の底部の斜視図である。
【図２８ａ】図２４に示すデバイスにおけるハウジング／本体部を組立てた状態の斜視図である。
【図２８ｂ】図２８ａに示すハウジング／本体部を組立てた状態の斜視図である。
【図２８ｃ】図２８ａ，２８ｂに示すハウジング／本体部を組立てた状態の斜視図である。
【図２９ａ】図２４に示すデバイスにおけるリザーバの一部を下側から示す斜視図である。
【図２９ｂ】図２９ａに示すリザーバの一部を上側から示す斜視図である。
【図３０ａ】図２４に示すデバイスにおけるリザーバの他の部分の正面図である。
【図３０ｂ】図３０ａに示すリザーバの他の部分の側部斜視図である。
【図３１ａ】図２４に示すデバイスにおけるリザーバコンポーネントの上面図である。
【図３１ｂ】図３１ａに示すリザーバコンポーネントの斜視図である。
【図３２ａ】本発明に係るデバイスの、中央に流体注入ポートを有する、部分的に環状であるアプリケータ／ノズルの正面図である。
【図３２ｂ】図３２ａに示すアプリケータ／ノズルの斜視図である。
【図３２ｃ】図３２ａ，３２ｂに示すアプリケータ／ノズルの斜視図である。
【図３２ｄ】図３２ａ〜３２ｃに示すアプリケータ／ノズルの斜視図である。
【図３３ａ】図２４に示すデバイスにおける部分的に環状であるアプリケータ／ノズルの斜視図である。
【図３３ｂ】図３３ａに示すアプリケータ／ノズルの斜視図である。
【図３３ｃ】図３３ａ，３２ｂに示すアプリケータ／ノズルの斜視図である。
【図３３ｄ】図３３ａ〜３３ｃに示すアプリケータ／ノズルの斜視図である。
【図３４】デバイス１００の使用状態を示す図である。
【図３５ａ】本発明の一実施形態に従うデバイスにおける本体部の正面図である。
【図３５ｂ】図３５ａに示す本体部の斜視図である。
【図３６】本発明のデバイスに用いられるシール部材を示す図である。
【発明を実施するための形態】
【００９１】
図１は、創傷に薬剤を適用，供給，吐出または分注するための、自動化されたデバイス１０の分解斜視図である。デバイス１０は、チューブ３ａ，３ｂによってキャニスタ４ａ，４ｂに接続されたリザーバ２を備えている。リザーバ２は、開放可能なカバー２ａを有しており、薬剤で充填することができる。チューブ３ａ，３ｂは、薬剤が流動または通過できる管路を画定している。このように、リザーバに保存または保持されている薬剤は、チューブ３ａ，３ｂを介してキャニスタ４ａ，４ｂに供給される。キャニスタ４ａ，４ｂは、該キャニスタ４ａ，４ｂを所定の位置に保持および維持（または把持）するための複数のラグまたは突起６ａを備えた、ベースプレート６に取り付けされている。キャニスタ４ａ，４ｂは、フレキシブルチューブ８ａ，８ｂ（図示せず）をさらに備え、該チューブを介して薬剤が分注または吐出される。フレキシブルチューブ８ａを介した薬剤の分注または吐出は、ピストン１２ａ，１２ｂによって実行される。ピストン１２ａ，１２ｂは、キャニスタ４ａ，４ｂに供給された薬剤に圧力を印加する。かかる圧力によって、フレキシブルチューブ８ａ，８ｂから薬剤が分注または吐出される。
【００９２】
図２を参照すると、リザーバ２、リザーバカバー２ａ、キャニスタ４ａ，４ｂ、ベースプレート６およびラグ６ａ、およびフレキシブルチューブ８ａ，８ｂの配置が示されている。
【００９３】
図３には、デバイス１０のフレキシブルチューブ８ｂが最も良く示されている。チューブ８ｂがキャニスタ４ｂの端部から延びていることが分かる。
【００９４】
図４は、ベースプレート６の下に配置されたクリップ１４を示している。クリップ１４は、該クリップを閉鎖位置に付勢するスプリング１５を含んでいる。使用時、クリップのアクチュエータアーム１６は、クリップジョー１８を開口するよう押下される。このように、クリップ１４は、デバイス１０を他の物品、例えば医療器具の別の部分に取り付けるために用いることができる。
【００９５】
図５は、自動化されたデバイス１０の側面図である。図５には、チューブ３ａによってキャニスタ４ａに接続されたリザーバ２が最も良く示されている。リザーバ２に保持されている流体は、（重力の作用のもと）チューブ３ａを通ってキャニスタ４ａに流れ込み、フレキシブルチューブ８ａを介して噴出される。キャニスタ４ａ（４ｂは図示せず）は、ベースプレート６上に取り付けられた複数のグリッピングラグ６ａによって所定の位置に保持されている。本実施形態において、キャニスタ４ａ，４ｂは、ベースプレート６および該プレートのラグ６ａから、単純な引っ張り作用によって取り外すことまたは分離することができる。
【００９６】
図６は、デバイス１０の底面図である。この図では、クリップ１４がベースプレート６に取り付けられていることが分かる。
【００９７】
ここで、図７を参照すると、デバイス１０の正面の端面が示されている。この図では、リザーバ２からリザーバカバー２ａが取り外されている（リザーバの上側に記載）ことが分かる。上述したように、リザーバ２は、チューブ３ａ，３ｂを介してキャニスタ４ａ，４ｂに接続している。これらのチューブ３ａ，３ｂは、リザーバ２に保持された流体をキャニスタ４ａ，４ｂに流出させるための管を形成している。ベースプレート６も図示されており、ベースプレート６の上部には、ラグ６ａによって（取り外し可能に）保持されたキャニスタ４ａ，４ｂが取り付けられている。図７には、ベースプレート６の底部に取り付けられたクリップ１４も図示されている。クリップ１４は、例えば、点滴静注線等の別の器具にデバイス１０を取り付けるために用いることができる。
【００９８】
図８は、キャニスタ４ａ／４ｂの断面図である。この断面図では、キャニスタ４ａ／４ｂが、チューブ３ａ／３ｂと係合する、または該チューブを受けるためのポート３ｃを備えていることが明示されている。ポート３ｃは、キャニスタ４ａ／４ｂのチャンバ４ｃ内に開口する開口部を画定している。リザーバ２（図示せず）からチューブ３ａまたは３ｂのいずれかを介して通過する流体は、ポート３ｃを経由して、キャニスタのチャンバ４ｃに流れ込むことができる。チャンバ４ｃは、リザーバ２からの流体を受け取り、保持するよう形成されている。図８には、キャニスタ４ａ／４ｂが、キャップ３０および該キャップ上に摺動可能に取り付けられたピストン２０をさらに備えることが示されている。ピストン２０は、フレキシブルチューブ８ａ／８ｂに向かって駆動または移動することができ、これによってチャンバ４ｃ内の流体に圧力が印加される。ピストン２０がチャンバ４ｃ内の流体に圧力を印加するよう移動すると、流体は、フレキシブルチューブ８ａ／８ｂを通過するよう付勢される。フレキシブルチューブ８ａ／８ｂから流体が噴射されると、該流体を、例えば創傷（例えば、外科的穿刺傷）に導くことができる。以下に（図１５を参照して）より詳細に説明するように、創傷へ噴射される流体の方向は、流体を特定の方向に噴射するよう角度付け可能であるフレキシブルチューブ８ａ／８ｂの向きによって補助することができる。
【００９９】
図９は、ピストン２０を詳細に示している。ピストン２０は、キャニスタ４ａ，４ｂの内部直径と実質的に等しい直径を有する、円筒状のヘッド２１を備えている。ピストン２０は、１つ以上のシール要素を備えることができ、該シール要素によって、円筒状のヘッド２１の外側面と、キャニスタ４ａ，４ｂのチャンバ４ｃの内側面との間が封止される。ピストン２０は、駆動手段と接続または係合可能なシャフト２２をさらに備えている。例えば、シャフト２２は、カムまたは他のアクチュエータ要素と係合することができる。
【０１００】
図１０ａ−ｄは、クリップ１４のスプリング１５を示している。スプリング１５は、スプリングワイヤ（大方、外科手術用のグレード）から形成可能であり、コイルスプリング１５ａと、該コイルスプリング１５ａと接続してクリップを開放位置に付勢するスプリングアーム１５ｂ，１５ｃと、を備えることができる。スプリングアーム１５ｂ，１５ｃは、クリップの本体部１６ａと係合する。
【０１０１】
図１１ａ〜１１ｄは、リザーバカバー２ａを詳細に示している。該カバーは、リザーバ２に取り外し可能に取り付けられており、該カバーによって空気／水を封止することができる。カバー２ａは、リザーバ２に取り付けられた際に該カバーによって水／空気を封止するための、１つ以上のシール要素を備えることができる。
【０１０２】
図１２を参照すると、リザーバ２の様々な図が示されている。リザーバの端面図と側面図を示す図１２ａ，１２ｅには、チューブ３ａ，３ｂが示されている。リザーバ２に保持されている流体は、これらのチューブを介し、重力によって流出すことができる。図１２ｂは、リザーバ２の斜視図であり、流体を保持するチャンバ２ｂを示している。図１２ｃは、リザーバの断面図である。ここでは、リザーバ２のチャンバに開口する、チューブ３ａ，３ｂによって画定された管路が明示されている。図１２ｄでは、リザーバのチャンバ２ｂの底部に、チューブ３ａ，３ｂによって画定された開口が見られる。さらに、リザーバの上側リム２ｃが示されている。リムは、リザーバカバー２ａと係合／嵌合するリップを画定している。
【０１０３】
図１３は、キャニスタキャップ３０を詳細に示している。キャニスタキャップ３０は、キャニスタ４ａ，４ｂの端部の栓またはプラグとして、ピストン２０の背後に配置されている。キャップ３０は、概して円筒形であり、キャニスタ４ａ，４ｂのチャンバ４ｃ内に挿入される第１の円筒部３１を備えている。円筒部３１の直径は、チャンバ４ｃの内側の直径と実質的に一致している。第１の円筒部３１は、使用時に、キャップ３０によってキャニスタ４ａ／４ｂ内に水／空気を封止するよう、１つ以上のシール要素を備えることができる。
【０１０４】
図１４ａ〜ｅは、円筒形のキャニスタ４ａ，４ｂを示している。図１４ａは、図１４ｃのＡ−Ａ線に沿う断面図であり、キャニスタ４ａ／４ｂのチャンバ４ｃと、チューブ３ａまたは３ｂの一方と接続するポート３ｃが示されている。キャニスタは、フレキシブルチューブ８ａ，８ｂと係合または接続するよう設計されたノズル４ｄをさらに備えている。ノズル４ｄにより画定される内部管路が、キャニスタのチャンバ４ｃと連通している。
【０１０５】
図１５ａ〜ｃは、ベースプレート６の様々な図を示している。上述したように、ベースプレート６は、デバイス１０のキャニスタを把持して所定位置に保持するように配置された、複数のラグ６ａを備えている。ラグ６ａは、キャニスタ上でのグリップを高めるためにコーティングすることができる。例えば、ラグ６ａは、ゴム等の層でコーティングしてもよい。ベースプレート６および／またはラグ６ａは、金属，プラスチック，木材，ゴム，複合材料（ファイバーガラス，カーボンファイバ等）またはこれらの任意の組合せから形成することができる。
【０１０６】
図１６は、クリップ１４の特定の部分を詳細に示している。特には、アクチュエータアーム１６を示している。アクチュエータアーム１６は、中央付近で折れ曲がっており、スプリング１５のコイルスプリング１５ａを受けるための溝１６ｂと、スプリングアーム１５ｂまたは１５ｃの一方を受けるための別の溝１６ｃとが画定された、縦長の本体部１６ａを備えている。
【０１０７】
図１７ａ〜ｄには、フレキシブルチューブ８ａ，８ｂが最も良く示されている。これらのチューブ８ａ，８ｂは、概して、流体を通過させることのできる中央管路を画定する長尺のチューブである。フレキシブルチューブ８ａまたは８ｂの、図１７ｃのＡ−Ａ線に沿う断面図である図１７ｂは、該チューブにより画定される管路８ｅを示している。これらの実施形態において、管路は流体排出口８ｃを画定しており、該流体排出口８ｃは、ある実施形態では流体の噴霧または噴流を形成するよう構成することができる。チューブに柔軟性を許容する波形部８ｄを備えたチューブ８ａ，８ｂの断面も示されている。波形部８ｄは、チューブ８ａまたは８ｂの屈曲を許容する一方で、同時に、管路８ｅの完全性と構造を保持しているため、チューブ８ａまたは８ｂの屈曲時であっても、該チューブに流体を通過させることができる。波形部によって、チューブ８ａ，８ｂは、該チューブから（流体排出口８ｃを介して）噴射される流体を創傷に向けることができる。図１７ｄは、フレキシブルチューブ８ａ，８ｂの一方に画定される流体排出口８ｃおよび波形部８ｄの端面図である。
【０１０８】
図１８〜２３を参照すると、本発明の他の実施形態に従うデバイスＩＩにおける、リザーバコンポーネントおよび本体／ハウジングコンポーネントが示されている。
【０１０９】
図１８は、リザーバ４０の平面図である。リザーバは、薬剤または流体を受け入れて保持するよう形成および構成された、本体部４４を備えている。リザーバの本体部４４は、その底面４４ａに、該底面４４ａから突出するシャフト４２ａと、平坦状の「カギ」部４２ｂと、を有する突起部４２を備えている。この「カギ」部４２ｂは、ドーム状の突出部４５ａ，４５ｂをさらに備えている。
【０１１０】
図１９は、図１８に示すリザーバ４０の斜視図である。図１９には、リザーバの本体部４４により画定され、薬剤または流体の容量または容積を維持および保持するよう構成された、内部キャビティ４４ｃが最もよく示されている。さらに、図１９には、内部キャビティ４４ｃの底部に画定された開孔４６が示されている。開孔４６は、シャフト４２ａおよびカギ部４２ｂ（図示せず）に画定されているボアに対して開口している。リザーバ４０に保持された流体または薬剤は、シャフト４２ａ／カギ部４２ｂによって画定されたボアを通過する。ボアは、バルブ、大方は一方向バルブを備えることができる。
【０１１１】
図２０は、リザーバ４０の他の斜視図である。図２０にて最もよく示されているのは、リザーバの本体部４４の下側面に、シャフト４２ａおよびカギ部４２ｂを介して延在する開孔４６である。
【０１１２】
図２１は、リザーバ４０を接続できるハウジング／本体部５０の斜視図である。ハウジング／本体部５０は、異形壁５１を有するＬ字状の構造を含み、異形壁５１には開孔５２が画定されている。ハウジング／本体部５０の他の特徴は、該ロッキング開口部を画定している異形壁５１が図示された、図２２に最もよく示されている。ロッキング開口部５４は、異形壁５１の外側面５３上に、カギ部４２ｂを受けるよう構成された窪みを画定している。ロッキング開口部５４には、開孔５２が設けられている。
【０１１３】
図２３は、上記のロッキング開口部を詳細に示している。この図において、ロッキング開口部５４は、鍵部４２ｂを受けるよう構成された、ロッキング開口部５４のような、他のキャビティ５５を画定していることが分かる。使用時、カギ部４２ｂは、ロッキング開口部５４に挿入され、異形壁に達するまで押し込まれる。カギ部４２ｂは、それから、該カギ部４２がキャビティ５５によって支えられるよう回転される。キャビティの表面にはドーム状の凹部６０ａ，６０ｂが画定されており、これらの凹部にてカギ部のドーム状の突出部４５ａ，４５ｂを受けることによって、該カギ部４２ｂをキャビティ５５内に固定する。カギ部４２ｂがリザーバ４０に固定されているため、リザーバ４０は、ハウジング／本体部５０に取り外し可能に接続（またはロック）されることになる。
【０１１４】
図２４ａ，２４ｂは、薬剤を創傷に適用し，供給し，吐出し，または分注するための自動化されたデバイス１００の斜視図である。上述したように、このデバイスは、使用中にデバイスを移動または変位させることなく、創傷を可視化して治療することができる。さらに、このデバイスは、使用中に、実質的に創傷を閉塞，覆い隠し，またはカバーすることがない。デバイス１００は、ハウジング／本体部６６（接続された上側セクション６６ａ、下側セクション６６ｂを含む）を備え、該ハウジング／本体部６６は、ユニット６８ａ／６８ｂで形成されたリザーバ６８に（取り外し可能に）接続されている。リザーバ６８は、例えば、最終的にアプリケータ／ノズル６３を介して創傷に供給される流体薬剤のような薬剤を保存することができる。アプリケータ／ノズル６３は、（ハウジング／本体部６６に配置されている）流体排出ポート６２に取り付けられたフレキシブルチューブ６１を介して、デバイスのハウジング６６と流体接続している。デバイスは、ハウジング６６の側面に配置された把持要素６４を介して、カテーテル６５に取り外し可能に取り付けられている。ノズル６３をカテーテル６５に取り付けて、該カテーテルの一部に薬剤（例えば、防腐剤）を供給できるようにしている。使用中、リザーバ６８に保持されている薬剤は、デバイスのハウジング／本体部６６，流体排出ポート６２，およびフレキシブルチューブ６１を介して、アプリケータ／ノズル６３へと送られる。アプリケータ／ノズル６３は、薬剤を分注し，供給し，吐出するための流体排出口（図示せず）を画定している。アプリケータ／ノズル６３がカテーテルに固定または取り付けされると、デバイスからカテーテルへと薬剤が分注され，吐出され，または供給される。さらに、アプリケータ／ノズル６３が、カテーテルの挿入部位、例えば、皮膚（すなわち、創傷のある場所）にてカテーテルに固定されると、デバイスから分注，吐出または供給される流体を、該創傷にも適用することができる。薬剤が防腐剤および／または抗微生物剤である場合、デバイス１００は、カテーテルおよび／または創傷（カテーテルの挿入部位）にて、清潔かつ感染のない状態を保証するよう用いることができる。
【０１１５】
図２５は、リザーバ６８に取り付けられた、デバイスのハウジング／本体部６６を示している。この図では、ハウジング／本体部６６が、一体に接続された２つのセクション６６ａ，６６ｂを備えていることが分かる。リザーバ６８も同様に、一体に接続された２つのユニット６８ａ，６８ｂを備えている。同じく図示されているのは、本体部６６の側部から突出し、セクション６６ａ，６６ｂの両方の接続部分から形成された把持要素６４である。使用に際して、把持要素６４は、例えばカテーテルのような管状の部材を、解放可能に（締まり嵌めによって）収容することができる。同様に示されているのは、本体部６６の正面から突出し、該本体部６６のセクション６６ａ，６６ｂの両方から形成された流体排出ポート６２である。流体排出ポート６２は、一連のリッジまたはリブを備え、該リッジまたはリブにて、フレキシブルチューブ（例えば、図２４のチューブ６１）を解放可能に固定することができる。流体排出ポート６２のリッジもまた、流体を確実に封止することができる。
【０１１６】
図２６ａ〜２６ｃは、本体部６６の上側セクション６６ａの斜視図である。図２６ａ，２６ｂは、上側セクション６６ａの内側面を示している。内側面には、５本の円柱状のラグ６９ａが設けられている。セクション６６ａの内側面はさらに、ロッキング開口部７０ａの一部を画定している。セクション６６ａによって同様に画定されているは、流体排出ポート６２の上側面であり、流体が流れるチャネルを画定していることが分かる。図２６ａ，２６ｂは、セクション６６ａの側面から突出する把持要素６４ａの上側部も示している。
【０１１７】
図２６ｃは、ハウジング／本体部の上側セクション６６ａの上部斜視図を示している。この図は、流体排出ポート６２および把持要素６４の一部を形成している、セクション６６ａのそれらの部分（６２ａ，６４ａ）を明確に示している。
【０１１８】
図２７ａ〜ｂは、ハウジング／本体部６６の他方の（下側の）セクション６６ｂの下部斜視図を示している。
【０１１９】
下側セクション６６ｂは、上側セクション６６ａの内面側から突出しているラグ６９ａに確実に対応する大きさおよび形状の、５つ開孔６９ｂを画定している。開孔６９ｂは、下側セクション６６ｂによって画定され、上側セクション６６ａと下側セクション６６ｂとが一体化された際に、上側セクション６６ａの各ラグ６９ａが、対応する開孔６９ｂ内に位置するよう配置されている。上側および下側セクション６６ａ，６６ｂは、締まり嵌めによって一体に固定される。
【０１２０】
図２７ｂに最もよく示されているのは、流体排出ポート６２，把持要素６４およびロッキング開口部７０を形成している部分（６２ｂ，６４ｂおよび７０ｂ）である。
【０１２１】
図２８ａ，２８ｂは、上側セクション６６ａおよび下側セクション６６ｂを組立てて形成された、本体部６６の斜視図である。図２８ａ，２８ｂにて最もよく示されているのは、リザーバ６８（図示せず）の一部を受けるよう構成されたスロット７１ａである。同様に図示されているのが、デバイスの使用中、リザーバ６８が所定位置にロックされたときに、該リザーバ６８の過剰な回転を防止するためのステップ７２である。図２８ｂは、ハウジング６６の底面を示しており、ラグ６９の各々が、下側セクション６６ｂによって画定された対応する開孔６９ｂ内に配置されていることが分かる。
【０１２２】
図２８ｃは、ハウジング６６の上側セクション６６ａおよび下側セクション６６ｂによって形成された、把持要素６４の一部を明確に示している。同様に、ハウジング６６の上側セクション６６ａおよび下側セクション６６ｂによって形成された、流体排出ポート６２も示されている。
【０１２３】
図２９ａ，２９ｂは、リザーバ６８のユニット６８ａを単独で示している。図２９ａは、リザーバのユニット６８ａの内側面７３によって、流体を保持できるウェルが画定されていることが示されている。内側面７３は、リザーバカバーを受ける、リッジまたはステップ７３ａをさらに画定している。
【０１２４】
図２９ｂは、ロック要素７１ｂから突出している、流体排出ポート７４を明確に示している。流体排出ポート７４は、リザーバ６８の内側面７３によって画定されたウェルと流体連通する開口７４ａを画定している。ロック要素７１ｂは、ハウジング６６（図示せず）に画定されたスロット７１ａ内にフィットする、横方向のラグを備えている。使用中、ロック要素７１ｂをスロット７１内に配置して、該要素７１ｂをハウジング６６に挿入することができる。ロック要素７１ｂをスロット７１ａ内に配置すると、ハウジング７７とリザーバ６８とを位置合わせすることが必要となるが、これは、リザーバを回転させることにより実現される。リザーバ６８を回転させると、（ハウジング６６内に位置している）ロック要素７１ｂがスロット７１ａ内でずらされるため、リザーバ６８をハウジング６６に固定する効果が得られる。かような固定作業中におけるリザーバの過回転を防止するべく、リザーバのユニット６８ａに、リザーバが回転する際にステップ７２に噛み合う突起状のラグ７５を設けることができる。これにより、過剰な回転が防止される。
【０１２５】
図３０ｂは、ユニット６８ｂの斜視図である。ユニット６８ｂは、ユニット６８ａと接続することにより、流体を保持することのできる閉鎖されたリザーバを形成する。リザーバ６８は、ユニット６８ａとの干渉型接続を可能にするリップ７３ｂを画定している。
【０１２６】
図３１ａ，３１ｂは、ユニット６８ａ，６８ｂを備えるリザーバを組立てした状態の平面図および斜視図である。
【０１２７】
図３２ａ〜３２ｄは、部分的に環状であるアプリケータ／ノズル６３を詳細に示している。図３２ａは、フレキシブルチューブ６１（図示せず）と接続可能な、中央に配置された流体注入ポート７６を示している。流体注入ポート７６は、異形の、リッジ付きの、またはリブ付きの表面を有し、これによりフレキシブルチューブ６１とともに流体を確実に封止できるものとして、図３２ｂ，３２ｃに最もよく図示されている。流体注入ポート７６は、開口７６ａを画定し、該開口を介して、フレキシブルチューブから流入する流体を通過させることができる。開口７６ａを通過する流体は、流体注入ポート７６およびアプリケータ６３の内側面によって画定されるボア７６ｂに沿って通過することができる。流体は、アプリケータ６３の内側面７７によって画定される、（図３２ｂに図示される）開口７８を介して、アプリケータ６３から排出することができる。
【０１２８】
図３２ｂは、アプリケータ／ノズル６３の斜視図である。この図では、アプリケータ６３が部分的に環状構造を形成していることが示されている。アプリケータ６３の部分的な環状構造は、例えば、カテーテル，針，チューブ等の医療器具を受けるよう形成され，寸法決めされ、および構成された、Ｕ字型のギャップを画定している。
【０１２９】
アプリケータ６３の内側面７７は、画定された開口７８の両側に延在する、円周方向凹面（斜面または溝）７７ａをさらに画定している。円周方向凹面７７ａは、開口７８から排出される流体の拡散を促進する。円周方向凹面７７ａは、（例えば、カテーテルのような医療機器と協働して）チャネルを画定することができる。さらに、または代替的に、凹面７７ａは、毛管現象により、または重力の作用のもとで、開口７８から流体を引き込むことができる。
【０１３０】
使用に際して、アプリケータ６３は、例えば、カテーテルのような医療器具の部品上もしくはその周囲に配置すること、またはその一部に取り付けることができる。例えば、カテーテルまたは針を、アプリケータ６３によって画定されたＵ字型のギャップを通過させるよう、プリケータ６３を皮膚の上に配置することができる。このようにして、デバイス１００のリザーバ６８から流出された薬剤は、アプリケータ６３の内側面７７によって画定された開口７８を介して、針／カテーテルおよび／または創傷（例えば、外科的穿刺傷）の一部に吐出，適用および／または分注される。アプリケータ６３は、針および／またはカテーテルの外周面の、実質的に全周または少なくとも一部の周りに形成され、かつ流体を適用，吐出または分注するよう形成される。凹面（斜面または溝）７７ａの設計を、重力および／または任意の毛管現象および／または吸上力の影響と組み合わせることにより、ノズル６３が取り付けられる医療器具の全外側面または該外側面の任意の一部を実質的にコーティングすることができる。
【０１３１】
図３３ａ〜３３ｃは、流体注入ポート７６が、部分的に環状であるノズルの一方側に配置された、他の設計に基づくアプリケータ／ノズル６３を示している。前述のアプリケータ６３と同様に、このアプリケータ６３には、部分的に環状であるノズルおよび流体注入ポート７６の本体部により画定された流体管路またはボアが設けられている。アプリケータ６３の内側面７７には、ボアまたは管路を通過できる流体（または薬剤）が通る開孔が画定されている。内側面７７には、開口の両側に、円周方向に延在する斜面または溝７７ａがさらに画定されている。
【０１３２】
図３４は、使用中のデバイス１００の画像である。中心に流体注入ポートを有する、部分的に環状であるアプリケータ６３が、医療器具（例えば、カテーテル）に付属のチューブ６５上に配置されている。リザーバ６８に含まれる流体（例えば、薬剤液）は、ハウジング／本体部６６を介して圧送され、管路６２を通ってフレキシブルチューブ６１へと送られる。流体は、チューブ６１からノズル６３へと移動し、医療器具６５上に分注される。ノズル６３の凹面７７ａ（図示せず）によって、流体は、チューブ６５の一部または全体にわたって広がるため、創傷の可視化を妨げることなく、創傷部位を消毒することができる。この完全なるデバイスは、創傷部位上にある既存の医療機器に、異なる位置にて取り外し可能に取り付けることができる。
【０１３３】
図３５ａ，３５ｂは、本発明の一実施形態に従う他のデバイスの一部（本体部）２００の正面図および斜視図である。本体部２００は、一体に接続可能な上側セクション２６６ａおよび下側セクション２６６ｂを備えている。本体部２００は、他の図で示した形態における同等の部分と実質的に同様の特徴を有しているが、主な相違点は、本体部２００が「Ｌ字型」である点と、流体排出ポート２６２が本体部のフロントエッジからセットバックして、凹んだ性質を有している点にある。具体的には、これらの図は、一体に接続されたセクション２６６ａ，２６６ｂを備えたＬ字型の本体部２００を示している。上側セクション２６６ａの内側面（図示せず）は、図３５ｂに示した６つの突起状のラグ２６９ａを備え、該ラグ２６９ａは、本体部２００の下側セクション２６６ｂによって画定された対応する開孔２６９ｂ内にて受けられていることが分かる。他の実施形態と同様に、本体部２００は、医療／手術機器／器具に取り外し可能に接続できる、把持要素２６４を備えている。
【０１３４】
図３６は、スロット７１ａ（または、他の実施形態においては同等の構成）に挿入できるシール部材（ロック要素）３００の、リザーバが取り付けられていない状態の斜視図である。シール部材は、スロット７１ａを塞ぎおよび／または埋め、本発明の様々なデバイスの本体部を封止する。シール部材３００は、スロット７１ａに挿入可能なラグ３０４と、シール部材３００を回転させてラグ３０４をスロット７１ａに対してずらし、該シール部材を所定位置とするためのハンドル３０２と、を備えている。
【０１３５】
当業者であれば、上記の実施形態は単に本発明の例示に過ぎず、本発明の範囲を逸脱することなく、種々の変更や改良が可能であることが理解されよう。さらに、上記の様々な実施形態は、多くの異なる特徴を含んでいる。当業者は、それらの特徴の多くは、実施形態に存在する他の特徴の利点を独立して提供し、本発明の他の態様に組み込むことができることを認識されよう。例えば、本発明の自動化されたデバイスは、上記にチューブ８ａ，８ｂとして示されたような複数のチューブを備えることができる。例えば、デバイスは、１〜１００本の任意の数のチューブを備えることができ、チューブの各々は、キャニスタ４ａ，４ｂの１つ以上と連通していてもよい。各チューブは、流体管路を画定することができ、該管路から放射される流体が、特定の部位を標的化し、または特定の方向に送られる（例えば、噴霧される）よう、各チューブに柔軟性をもたせることができる。このチューブは、実質的に（柔軟性のある）直線状であってもよく、および／または、キャニスタに接続した１本のチューブが複数の流体管路に分岐するよう、分岐していてもよい。
【図１】
2016501093.tif 000003
【図２】
2016501093.tif 000004
【図３】
2016501093.tif 000005
【図４】
2016501093.tif 000006
【図５】
2016501093.tif 000007
【図６】
2016501093.tif 000008
【図７】
2016501093.tif 000009
【図８】
2016501093.tif 000010
【図９ａ】
2016501093.tif 000011
【図９ｂ】
2016501093.tif 000012
【図９ｃ】
2016501093.tif 000013
【図１０ａ】
2016501093.tif 000014
【図１０ｂ】
2016501093.tif 000015
【図１０ｃ】
2016501093.tif 000016
【図１０ｄ】
2016501093.tif 000017
【図１１ａ】
2016501093.tif 000018
【図１１ｂ】
2016501093.tif 000019
【図１１ｃ】
2016501093.tif 000020
【図１１ｄ】
2016501093.tif 000021
【図１２ａ】
2016501093.tif 000022
【図１２ｂ】
2016501093.tif 000023
【図１２ｃ】
2016501093.tif 000024
【図１２ｄ】
2016501093.tif 000025
【図１２ｅ】
2016501093.tif 000026
【図１２ｆ】
2016501093.tif 000027
【図１３ａ】
2016501093.tif 000028
【図１３ｂ】
2016501093.tif 000029
【図１３ｃ】
2016501093.tif 000030
【図１４ａ】
2016501093.tif 000031
【図１４ｂ】
2016501093.tif 000032
【図１４ｃ】
2016501093.tif 000033
【図１４ｄ】
2016501093.tif 000034
【図１４ｅ】
2016501093.tif 000035
【図１５ａ】
2016501093.tif 000036
【図１５ｂ】
2016501093.tif 000037
【図１５ｃ】
2016501093.tif 000038
【図１６ａ】
2016501093.tif 000039
【図１６ｂ】
2016501093.tif 000040
【図１６ｃ】
2016501093.tif 000041
【図１７ａ】
2016501093.tif 000042
【図１７ｂ】
2016501093.tif 000043
【図１７ｃ】
2016501093.tif 000044
【図１７ｄ】
2016501093.tif 000045
【図１８】
2016501093.tif 000046
【図１９】
2016501093.tif 000047
【図２０】
2016501093.tif 000048
【図２１】
2016501093.tif 000049
【図２２】
2016501093.tif 000050
【図２３】
2016501093.tif 000051
【図２４ａ】
2016501093.tif 000052
【図２４ｂ】
2016501093.tif 000053
【図２５】
2016501093.tif 000054
【図２６ｂ】
2016501093.tif 000055
【図２６ｃ】
2016501093.tif 000056
【図２７ａ】
2016501093.tif 000057
【図２７ｂ】
2016501093.tif 000058
【図２８ａ】
2016501093.tif 000059
【図２８ｂ】
2016501093.tif 000060
【図２８ｃ】
2016501093.tif 000061
【図２９ａ】
2016501093.tif 000062
【図２９ｂ】
2016501093.tif 000063
【図３０ａ】
2016501093.tif 000064
【図３０ｂ】
2016501093.tif 000065
【図３１ａ】
2016501093.tif 000066
【図３１ｂ】
2016501093.tif 000067
【図３２ａ】
2016501093.tif 000068
【図３２ｂ】
2016501093.tif 000069
【図３２ｃ】
2016501093.tif 000070
【図３２ｄ】
2016501093.tif 000071
【図３３ａ】
2016501093.tif 000072
【図３３ｂ】
2016501093.tif 000073
【図３３ｃ】
2016501093.tif 000074
【図３３ｄ】
2016501093.tif 000075
【図３４】
2016501093.tif 000076
【図３５ａ】
2016501093.tif 000077
【図３５ｂ】
2016501093.tif 000078
【図３６】
2016501093.tif 000079
【国際調査報告】
2016501093.tif 000080
2016501093.tif 000081
2016501093.tif 000082